(57)【特許請求の範囲】
【請求項１】
カテゴライズ対象の対象衣類を複数のイメージカテゴリの何れかにカテゴライズするカテゴライズシステムであって、
前記対象衣類の衣類情報の入力を受け付ける入力装置と、
前記入力装置を介して受け付けられた前記衣類情報に基づき前記対象衣類のイメージカテゴリを決定するカテゴライズサーバと、
を備え、
前記入力装置は、
前記対象衣類に関する各特徴をユーザに選択させるための選択画面を表示する表示部と、
前記選択画面における前記各特徴の選択操作を受け付ける操作入力受付部と、
前記各特徴を前記カテゴライズサーバに送信する第１通信部と、
を有し、
前記カテゴライズサーバは、
前記複数のイメージカテゴリ毎に前記各特徴の点数を記録した評価テーブルを記憶する記憶部と、
前記評価テーブルを参照し、前記複数のイメージカテゴリ毎に前記各特徴の点数を集計し、最高得点のイメージカテゴリを前記対象衣類のイメージカテゴリに決定する制御部と、
を有することを特徴とするカテゴライズシステム。
【請求項２】
前記カテゴライズサーバの前記制御部は、前記複数のイメージカテゴリ毎に集計したデータに基づいて、前記複数のイメージカテゴリの合計点数を視覚的に示したグラフを生成することを特徴とする請求項１に記載のカテゴライズシステム。
【請求項３】
前記対象衣類に関する各特徴には、柄の特徴と、色の特徴と、パターンの特徴と、素材の特徴とが含まれることを特徴とする請求項１又は２に記載のカテゴライズシステム。
【請求項４】
前記カテゴライズサーバの前記制御部は、前記最高得点のイメージカテゴリが複数存在する場合には、前記各特徴の少なくとも１つを更に入力する入力指示を前記入力装置に送信し、
前記入力装置の前記表示部は、前記入力指示に応答して、前記各特徴の少なくとも１つを更に選択するための追加選択画面を表示し、
前記入力装置の前記第１通信部は、前記追加選択画面を介して選択された追加特徴を前記カテゴライズサーバに送信し、
前記カテゴライズサーバの前記制御部は、前記追加特徴に基づき、前記複数のイメージカテゴリ毎に前記各特徴の点数を再度集計し、最高得点のイメージカテゴリを前記対象衣類のイメージカテゴリに決定することを特徴とする請求項１から３のうち何れかに記載のカテゴライズシステム。
【請求項５】
カテゴライズ対象の対象衣類を複数のイメージカテゴリの何れかにカテゴライズするカテゴライズ装置であって、
前記対象衣類に関する各特徴をユーザに選択させるための選択画面を表示する表示部と、
前記選択画面における前記各特徴の選択操作を受け付ける操作入力受付部と、
前記複数のイメージカテゴリ毎に前記各特徴の点数を記録した評価テーブルを記憶する記憶部と、
前記評価テーブルを参照し、前記複数のイメージカテゴリ毎に前記各特徴の点数を集計し、最高得点のイメージカテゴリを前記対象衣類のイメージカテゴリに決定する制御部と、
を備えることを特徴とするカテゴライズ装置。
【請求項６】
カテゴライズ対象の対象衣類を複数のイメージカテゴリの何れかにカテゴライズするカテゴライズ装置に、
ａ）前記対象衣類に関する各特徴をユーザに選択させるための選択画面を前記カテゴライズ装置の表示部に表示するステップと、
ｂ）前記選択画面における前記各特徴の選択操作を受け付けるステップと、
ｃ）前記複数のイメージカテゴリ毎に前記各特徴の点数を記録した評価テーブルを前記カテゴライズ装置の記憶部に記憶するステップと、
ｄ）前記評価テーブルを参照し、前記複数のイメージカテゴリ毎に前記各特徴の点数を集計し、最高得点のイメージカテゴリを前記対象衣類のイメージカテゴリに決定するステップと、
を実行させるためのプログラム。
【発明の詳細な説明】
【技術分野】
【０００１】
本発明は、衣類を複数のイメージカテゴリの何れかにカテゴライズするカテゴライズシステム及びこれに関連する技術に関する。
【背景技術】
【０００２】
従来、複数の個別評価結果に基づいて、評価対象者の総合的な印象である二次印象の形成に影響を与える複数の一次印象それぞれに点数若しくはランクを割り当てることによって外見の印象を評価する外見評価装置が提案されている（例えば、特許文献１）。かかる外見評価装置によれば、評価対象者を複数のイメージカテゴリ（「かわいい系」、「さわやか系」、「きれい系」、「ゴージャス系」、「クール系」等）の何れかにカテゴライズすることが可能である。その結果、評価対象者は、自分の外見の印象を具体的に把握することが可能である。
【先行技術文献】
【特許文献】
【０００３】
【特許文献１】特開２０１５−１７６３３０号公報
【発明の概要】
【発明が解決しようとする課題】
【０００４】
しかし、評価対象者が自分の外見の印象を把握出来たとしても、着用しようとする衣類が何れのイメージカテゴリに属するかを把握できなれば、自分のイメージカテゴリに適合する衣類を着用できない可能性がある。なお、上記特許文献１では、特定の衣類を特定のカテゴリに分類することについては言及されていない。
【０００５】
そこで、本発明は、衣類を複数のイメージカテゴリの何れかにカテゴライズするカテゴライズシステム及びこれに関連する技術を提供することを目的とする。
【課題を解決するための手段】
【０００６】
上記目的を達成するために、本発明は、カテゴライズ対象の対象衣類を複数のイメージカテゴリの何れかにカテゴライズするカテゴライズシステムであって、前記対象衣類の衣類情報の入力を受け付ける入力装置と、前記入力装置を介して受け付けられた前記衣類情報に基づき前記対象衣類のイメージカテゴリを決定するカテゴライズサーバと、を備え、前記入力装置は、前記対象衣類に関する各特徴をユーザに選択させるための選択画面を表示する表示部と、前記選択画面における前記各特徴の選択操作を受け付ける操作入力受付部と、前記各特徴を前記カテゴライズサーバに送信する第１通信部と、を有し、前記カテゴライズサーバは、前記複数のイメージカテゴリ毎に前記各特徴の点数を記録した評価テーブルを記憶する記憶部と、前記評価テーブルを参照し、前記複数のイメージカテゴリ毎に前記各特徴の点数を集計し、最高得点のイメージカテゴリを前記対象衣類のイメージカテゴリに決定する制御部と、を有することを特徴とするカテゴライズシステムを提供している。
【０００７】
また、前記カテゴライズサーバの前記制御部は、前記複数のイメージカテゴリ毎に集計したデータに基づいて、前記複数のイメージカテゴリの合計点数を視覚的に示したグラフを生成するのが好ましい。
【０００８】
また、前記対象衣類に関する各特徴には、柄の特徴と、色の特徴と、パターンの特徴と、素材の特徴とが含まれるのが好ましい。
【０００９】
また、前記カテゴライズサーバの前記制御部は、前記最高得点のイメージカテゴリが複数存在する場合には、前記各特徴の少なくとも１つを更に入力する入力指示を前記入力装置に送信し、前記入力装置の前記表示部は、前記入力指示に応答して、前記各特徴の少なくとも１つを更に選択するための追加選択画面を表示し、前記入力装置の前記第１通信部は、前記追加選択画面を介して選択された追加特徴を前記カテゴライズサーバに送信し、前記カテゴライズサーバの前記制御部は、前記追加特徴に基づき、前記複数のイメージカテゴリ毎に前記各特徴の点数を再度集計し、最高得点のイメージカテゴリを前記対象衣類のイメージカテゴリに決定するのが好ましい。
【００１０】
また、本発明は、カテゴライズ対象の対象衣類を複数のイメージカテゴリの何れかにカテゴライズするカテゴライズ装置であって、前記対象衣類に関する各特徴をユーザに選択させるための選択画面を表示する表示部と、前記選択画面における前記各特徴の選択操作を受け付ける操作入力受付部と、前記複数のイメージカテゴリ毎に前記各特徴の点数を記録した評価テーブルを記憶する記憶部と、前記評価テーブルを参照し、前記複数のイメージカテゴリ毎に前記各特徴の点数を集計し、最高得点のイメージカテゴリを前記対象衣類のイメージカテゴリに決定する制御部と、を備えることを特徴とするカテゴライズ装置を更に提供している。
【００１１】
また、本発明は、カテゴライズ対象の対象衣類を複数のイメージカテゴリの何れかにカテゴライズするカテゴライズ装置に、ａ）前記対象衣類に関する各特徴をユーザに選択させるための選択画面を前記カテゴライズ装置の表示部に表示するステップと、ｂ）前記選択画面における前記各特徴の選択操作を受け付けるステップと、ｃ）前記複数のイメージカテゴリ毎に前記各特徴の点数を記録した評価テーブルを前記カテゴライズ装置の記憶部に記憶するステップと、ｄ）前記評価テーブルを参照し、前記複数のイメージカテゴリ毎に前記各特徴の点数を集計し、最高得点のイメージカテゴリを前記対象衣類のイメージカテゴリに決定するステップと、を実行させるためのプログラムを更に提供している。
【発明の効果】
【００１２】
本発明によれば、衣類を複数のイメージカテゴリの何れかにカテゴライズすることが可能である。
【図面の簡単な説明】
【００１３】
【図１】実施形態によるカテゴライズシステムの構成を示す図。
【図２】第１衣類種別及び第２衣類種別をまとめた表。
【図３】タブレット端末のハードウェア構成を示すブロック図。
【図４】カテゴライズサーバのハードウェア構成を示すブロック図。
【図５】第１特徴に関する評価テーブルを示す図。
【図６】第２特徴に関する評価テーブルを示す図。
【図７】第３特徴に関する評価テーブルを示す図。
【図８】第４特徴に関する評価テーブルを示す図。
【図９】端末装置の動作を示すフローチャート。
【図１０】第１衣類種別を選択するための選択画面を示す図。
【図１１】第２衣類種別を選択するための選択画面を示す図。
【図１２】第１特徴を選択するための選択画面を示す図。
【図１３】第２特徴を選択するための選択画面を示す図。
【図１４】第３特徴を選択するための選択画面を示す図。
【図１５】第４特徴を選択するための選択画面を示す図。
【図１６】カテゴライズサーバの動作を示すフローチャート。
【図１７】パターンＡのイメージカテゴリの集計表を示す図。
【図１８】パターンＡの点数グラフ。
【図１９】パターンＢのイメージカテゴリの集計表を示す図。
【図２０】パターンＢの点数グラフ。
【図２１】パターンＣのイメージカテゴリの集計表を示す図。
【図２２】パターンＣの点数グラフ。
【発明を実施するための形態】
【００１４】
＜１．実施形態＞
以下、図１乃至図１８を参照しながら、本発明のカテゴライズシステムの実施形態を詳細に説明する。
【００１５】
本実施形態に係るカテゴライズシステムは、カテゴライズ対象の衣類を５つのイメージカテゴリ（「かわいい系」、「さわやか系」、「きれい系」、「ゴージャス系」、「クール系」）の何れかに分類するためのシステムである。
【００１６】
「かわいい系」は、可愛く、可憐な女性（以下、単に「天使」とも称する）、あるいは、楽しく、陽気な男性（以下、単に「プリンス」とも称する）に対応するイメージカテゴリである。
【００１７】
「さわやか系」は、繊細で清潔感のある女性（以下、単に「妖精」とも称する）、あるいは、すっきり、さわやかな男性（以下、単に「クリエイター」とも称する）に対応するイメージカテゴリである。
【００１８】
「きれい系」は、上品でエレガントな麗しい女性（以下、単に「天女」とも称する）、あるいは、気品があり、ダンディな男性（以下、単に「ジェントルマン」とも称する）に対応するイメージカテゴリである。
【００１９】
「ゴージャス系」は、華やかで艶やかな女性（以下、単に「観音」とも称する）、あるいは、ワイルドでセクシーな男性（以下、単に「ボス」とも称する）に対応するイメージカテゴリである。
【００２０】
「クール系」は、格好良く、シャープな女性（以下、単に「女神」とも称する）、あるいは、都会的でモダンな男性（以下、単に「プレジデント」とも称する）に対応するイメージカテゴリである。
【００２１】
図１に示すように、カテゴライズシステム１は、端末装置３とカテゴライズサーバ５とを備えて構成される。
【００２２】
端末装置３は、ネットワーク２を介してカテゴライズサーバ５に接続されており、カテゴライズサーバ５との間でネットワーク通信を行うことが可能である。
【００２３】
ネットワーク２は、ＬＡＮ（Local Area Network（ローカル・エリア・ネットワーク））、ＷＡＮ（Wide Area Network（ワイドエリアネットワーク）、インターネット等の通信ネットワークで構成されている。
【００２４】
なお、ここでは、端末装置３は、Ｗｉ−Ｆｉ（登録商標）によりネットワーク２に無線接続されている。一方、カテゴライズサーバ５は、ＬＡＮケーブルを介してネットワーク２に有線接続されている。
【００２５】
ただし、ネットワーク２への接続形態は、これらに限定されるものではなく、例えば、端末装置３が有線接続され、カテゴライズサーバ５が無線接続されるように構成してもよい。
【００２６】
端末装置３は、公知のタブレット端末と同様の構成を備えている。端末装置３は、本発明に係る「入力装置」の一例であり、カテゴライズ対象の衣類に関する情報（以下、「衣類情報」とも称する）の入力を受け付ける装置である。
【００２７】
なお、本実施形態では、端末装置３がタブレット端末として構成される場合を例示するが、これに限定されず、端末装置３が公知のパーソナルコンピュータや公知のスマートフォン等で構成されるようにしてもよい。
【００２８】
端末装置３を介して入力される「衣類情報」としては、第１衣類種別と、第２衣類種別と、第１特徴と、第２特徴と、第３特徴と、第４特徴とが存在する。
【００２９】
第１衣類種別は、衣類の大分類に関する情報である。図２に示すように、第１衣類種別には、「トップス」、「ワンピース」、「スカート」、「パンツ」、「コート」、「その他」の６つの大分類が存在する。
【００３０】
第２衣類種別は、第１衣類種別の大分類を更に細かく分類した中分類に関する情報である。
【００３１】
例えば、第１衣類種別「トップス」の第２衣類種別には、「ブラウス」、「Ｔシャツ」、「タンクトップ」、「チュニック」、「セーター」、「ベスト」の６つの中分類が存在する。
【００３２】
また、第１衣類種別「ワンピース」の第２衣類種別には、「タイト」、「フレア」、「バルーン」、「プリーツ」、「ボックス」、「マーメイド」の６つの中分類が存在する。同様に、第１衣類種別「スカート」の第２衣類種別にも、「タイト」、「フレア」、「バルーン」、「プリーツ」、「ボックス」、「マーメイド」の６つの中分類が存在する。
【００３３】
また、第１衣類種別「パンツ」の第２衣類種別には、「スリム」、「ストレート」、「ワイド」、「ショート」の４つの中分類が存在する。
【００３４】
また、第１衣類種別「コート」の第２衣類種別には、「トレンチコート」、「ダッフルコート」、「Ｐコート」、「ダウンコート」、「モッズコート」の５つの中分類が存在する。
【００３５】
また、第１衣類種別「その他」の第２衣類種別には、「ジャケット」、「ブレザー」、「ジャンパー／ブルゾン」、「パーカー」、「カーディガン」、「ボレロ」の６つの中分類が存在する。
【００３６】
続いて、第１特徴、第２特徴、第３特徴及び第４特徴について詳細に説明する。
【００３７】
まず、第１特徴は「柄」に関する特徴である。「柄」の特徴としては、「無地」、「花」、「ストライプ／ボーダー」、「チェック」、「幾何学」、「ドット」、「プッチ」、「エスニック」、「アニマル」、「ボタニカル／リーフ」、「カモフラージュ」、「キャラクター／ロゴ」が存在する。
【００３８】
また、第２特徴は「色」に関する特徴である。「色」の特徴としては、「ゴールド」、「シルバー」、「黄」、「赤」、「オレンジ」、「緑」、「青」、「紫」、「ピンク」、「ブラウン」、「ベージュ」、「赤紫」、「オフホワイト」、「白」、「黒」、「グレースケール」が存在する。
【００３９】
また、第３特徴は「パターン」に関する特徴である。「パターン」の特徴としては、「ドレープ」、「レース」、「刺繍」、「フリル」、「リボン」、「キラキラ系」、「ボウタイ」、「カシュクール」、「ニット」、「ジップアップ」が存在する。
【００４０】
第４特徴は「素材」に関する特徴である。「素材」の特徴としては、「ウール」、「コットン」、「麻」、「シルク」、「サテン」、「シフォン」、「ポリエステル」、「チュール」、「革」、「ツイード」、「ファー」、「フェザー」、「カシミア」、「ナイロン」が存在する。
【００４１】
図３に示すように、端末装置３は、ＣＰＵ（Central Processing Unit）３１、ＲＡＭ（Random Access Memory）３２、ＲＯＭ（Read Only Memory）３３、通信部３４、記憶部３５、操作表示部３６等を備え、これらがバス３８により相互に接続されている。
【００４２】
ＣＰＵ３１は中央演算装置であり、ＲＡＭ３２、ＲＯＭ３３などと協働して、後述する各種の処理を実行する。詳細には、ＣＰＵ３１は、予めインストールされている１又は複数のプログラムを実行することにより、各種の処理を実行する。これによって、ＣＰＵ３１は、端末装置３の動作を統括的に制御する制御部として機能する。
【００４３】
ＲＡＭ３２は、ＣＰＵ３１の演算の際にデータを一時的に記憶するものであり、ＲＯＭ３３は、ＢＩＯＳ（Basic Input Output System）などのプログラムが記憶された読み出し専用メモリである。
【００４４】
通信部３４は、ネットワーク２を介してカテゴライズサーバ５とネットワーク通信を行う処理部である。特に、本実施形態では、通信部３４は、Ｗｉ−Ｆｉ（登録商標）による無線通信を行うことができる。
【００４５】
記憶部３５は、公知のフラッシュメモリで構成されており、各種情報を記憶する。
【００４６】
操作表示部３６は、公知のタッチパネル式ディスプレイとして構成され、各種情報の入力操作を受け付けたり、各種情報を表示したりする。なお、操作表示部３６は、本発明に係る表示部及び操作入力受付部の一例である。
【００４７】
続いて、カテゴライズサーバ５について詳細に説明する。カテゴライズサーバ５は、公知のパーソナルコンピュータと同様の構成を備えている。カテゴライズサーバ５は、端末装置３で受け付けられた衣類情報に基づきカテゴライズ対象の衣類（以下、単に対象衣類とも称する）のイメージカテゴリを決定するためのサーバである。すなわち、カテゴライズサーバ５は、対象衣類を複数のカテゴリの何れかにカテゴライズするためのサーバである。
【００４８】
図４に示すように、カテゴライズサーバ５は、ＣＰＵ５１、ＲＡＭ５２、ＲＯＭ５３、通信部５４、記憶部５５等を備え、これらがバス５８により相互に接続されている。
【００４９】
ＣＰＵ５１、ＲＡＭ５２、ＲＯＭ５３は、それぞれ、端末装置３のＣＰＵ３１、ＲＡＭ３２、ＲＯＭ３３と同様の機能を備えている。
【００５０】
通信部５４は、ネットワーク２を介して端末装置３とネットワーク通信を行う処理部である。特に、本実施形態では、通信部５４は、ＬＡＮケーブルを用いて有線通信を行うことができる。
【００５１】
記憶部５５は、次述の評価テーブルＴＢ１〜ＴＢ４（図５〜図８）を記憶する処理部である。
【００５２】
図５に示すように、評価テーブルＴＢ１は、「柄」に関する特徴（以下、単に第１特徴とも称する）の複数の選択肢に関してイメージカテゴリ毎の点数を記録したテーブルである。
【００５３】
例えば、選択肢「花」（評価テーブルＴＢ１の２行目）では、「かわいい系」のイメージカテゴリに４点、「さわやか系」のイメージカテゴリに１点、「きれい系」のイメージカテゴリに２点、「ゴージャス系」のイメージカテゴリに３点、「クール系」のイメージカテゴリに０点が記録されている。なお、説明は省略するが、他の選択肢にも各イメージカテゴリの点数がそれぞれ記録されている。
【００５４】
図６に示すように、評価テーブルＴＢ２は、「色」に関する特徴（以下、単に第２特徴とも称する）の複数の選択肢に関してイメージカテゴリ毎の点数を記録したテーブルである。
【００５５】
例えば、選択肢「ピンク」（評価テーブルＴＢ２の９行目）では、「かわいい系」のイメージカテゴリに３点、「さわやか系」のイメージカテゴリに１点、「きれい系」のイメージカテゴリに３点、「ゴージャス系」のイメージカテゴリに２点、「クール系」のイメージカテゴリに１点が記録されている。なお、説明は省略するが、他の選択肢にも各イメージカテゴリの点数が記録されている。
【００５６】
図７に示すように、評価テーブルＴＢ３は、「パターン」に関する特徴（以下、単に第３特徴とも称する）の複数の選択肢に関してイメージカテゴリ毎の点数を記録したテーブルである。
【００５７】
例えば、選択肢「フリル」（評価テーブルＴＢ３の４行目）では、「かわいい系」のイメージカテゴリに５点、「さわやか系」のイメージカテゴリに１点、「きれい系」のイメージカテゴリに３点、「ゴージャス系」のイメージカテゴリに１点、「クール系」のイメージカテゴリに０点が記録されている。なお、説明は省略するが、他の選択肢にも各イメージカテゴリの点数が記録されている。
【００５８】
図８に示すように、評価テーブルＴＢ４は、「素材」に関する特徴（以下、単に第４特徴とも称する）の複数の選択肢に関してイメージカテゴリ毎の点数を記録したテーブルである。
【００５９】
例えば、選択肢「シフォン」（評価テーブルＴＢ４の８行目）では、「かわいい系」のイメージカテゴリに３点、「さわやか系」のイメージカテゴリに３点、「きれい系」のイメージカテゴリに３点、「ゴージャス系」のイメージカテゴリに１点、「クール系」のイメージカテゴリに０点が記録されている。なお、説明は省略するが、他の選択肢にも各イメージカテゴリの点数が記録されている。
【００６０】
次に、図９のフローチャートを参照しながら、端末装置３の動作について説明する。
【００６１】
まず、ステップＳ１１において、端末装置３は、図１０に示す画面ＧＡ１を操作表示部３６に表示する。画面ＧＡ１は、上述の第１衣類種別を選択するための画面である。画面ＧＡ１では、第１衣類種別の選択肢として「トップス」、「ワンピース」、「スカート」、「パンツ」、「コート」、「その他」が用意されている。
【００６２】
図１０では、画面ＧＡ１において「トップス」に対応するラジオボタンが選択状態にある。かかる状態において「次へ」ボタンが押下されると、第1衣類種別として「トップス」が選択される。一方、「トップ」ボタンが押下されると、第１衣類種別が選択されことなく、一旦、不図示のトップ画面に戻る。
【００６３】
画面ＧＡ１において「次へ」ボタンが押下されて第1衣類種別が選択されると、ステップＳ１２においてＹＥＳと判定され、処理はステップＳ１３に進む。
【００６４】
ステップＳ１３において、端末装置３は、図１１に示す画面ＧＡ２を操作表示部３６に表示する。画面ＧＡ２は、上述の第２衣類種別を選択するための画面である。画面ＧＡ２では、第２衣類種別の選択肢として「ブラウス」、「Ｔシャツ」、「タンクトップ」、「チュニック」、「セーター」、「ベスト」が用意されている。
【００６５】
図１１では、画面ＧＡ２において「ブラウス」に対応するラジオボタンが選択状態にある。かかる状態において「次へ」ボタンが押下されると、第２衣類種別として「ブラウス」が選択される。一方、「戻る」ボタンが押下されると、第２衣類種別が選択されることなく、図１０の画面ＧＡ１が再度表示される。これにより、ユーザは第１衣類種別を改めて選択し直すことが可能である。なお、「トップ」ボタンが押下された場合の動作は画面ＧＡ１の「トップ」ボタンが押下された場合の動作と同じである。
【００６６】
画面ＧＡ２において「次へ」ボタンが押下されて第２衣類種別が選択されると、ステップＳ１４においてＹＥＳと判定され、処理はステップＳ１５に進む。
【００６７】
ステップＳ１５において、端末装置３は、図１２に示す画面ＧＡ３を操作表示部３６に表示する。画面ＧＡ３は、「柄」の特徴（第１特徴）を選択するための画面である。画面ＧＡ３では、「柄」の選択肢として「無地」、「花」、「ストライプ／ボーダー」、「チェック」、「幾何学」、「ドット」、「プッチ」、「エスニック」、「アニマル」、「ボタニカル／リーフ」、「カモフラージュ」、「キャラクター／ロゴ」が用意されている。
【００６８】
図１２では、画面ＧＡ３において「花」に対応するラジオボタンが選択状態にある。かかる状態において「次へ」ボタンが押下されると、「柄」の特徴として「花」が選択される。一方、「戻る」ボタンが押下されると、「柄」の特徴が選択されることなく、図１１の画面ＧＡ２が再度表示される。これにより、ユーザは第２衣類種別を改めて選択し直すことが可能である。
【００６９】
画面ＧＡ３において「次へ」ボタンが押下されて「柄」の特徴（第１特徴）が選択されると、ステップＳ１６においてＹＥＳと判定され、処理はステップＳ１７に進む。
【００７０】
ステップＳ１７において、端末装置３は、図１３に示す画面ＧＡ４を操作表示部３６に表示する。画面ＧＡ４は、「色」の特徴（第２特徴）を選択するための画面である。画面ＧＡ４では、「色」の選択肢として「ゴールド」、「シルバー」、「黄」、「赤」、「オレンジ」、「緑」、「青」、「紫」、「ピンク」、「ブラウン」、「ベージュ」、「赤紫」、「オフホワイト」、「白」、「黒」、「グレー」が用意されている。
【００７１】
図１３では、画面ＧＡ４において「ピンク」に対応するラジオボタンが選択状態にある。かかる状態において「次へ」ボタンが押下されると、「色」の特徴として「ピンク」が選択される。一方、「戻る」ボタンが押下されると、「色」の特徴が選択されることなく、図１２の画面ＧＡ３が再度表示される。これにより、ユーザは「柄」の特徴を改めて選択し直すことが可能である。
【００７２】
画面ＧＡ４において「次へ」ボタンが押下されて「色」の特徴（第２特徴）が選択されると、ステップＳ１８においてＹＥＳと判定され、処理はステップＳ１９に進む。
【００７３】
ステップＳ１９において、端末装置３は、図１４に示す画面ＧＡ５を操作表示部３６に表示する。画面ＧＡ５は、「パターン」の特徴（第３特徴）を選択するための画面である。画面ＧＡ５では、「パターン」の選択肢として、「ドレープ」、「レース」、「刺繍」、「フリル」、「リボン」、「キラキラ系」、「ボウタイ」、「カシュクール」、「ニット」、「ジップアップ」が用意されている。
【００７４】
図１４では、画面ＧＡ５において「フリル」に対応するラジオボタンが選択状態にある。かかる状態において「次へ」ボタンが押下されると、「パターン」の特徴として「フリル」が選択される。一方、「戻る」ボタンが押下されると、「パターン」の特徴が選択されることなく、図１３の画面ＧＡ４が再度表示される。これにより、ユーザは「色」の特徴を改めて選択し直すことが可能である。
【００７５】
画面ＧＡ５において「次へ」ボタンが押下されて「パターン」の特徴（第３特徴）が選択されると、ステップＳ２０においてＹＥＳと判定され、処理はステップＳ２１に進む。
【００７６】
ステップＳ２１において、端末装置３は、図１５に示す画面ＧＡ６を操作表示部３６に表示する。画面ＧＡ６は、「素材」の特徴（第４特徴）を選択するための画面である。画面ＧＡ６では、「素材」の選択肢として、「ウール」、「コットン」、「麻」、「シルク」、「サテン」、「シフォン」、「ポリエステル」、「チュール」、「革」、「ツイード」、「ファー」、「フェザー」、「カシミア」、「ナイロン」が用意されている。
【００７７】
図１５では、画面ＧＡ６において「シフォン」に対応するラジオボタンが選択状態にある。かかる状態において「判定」ボタンが押下されると、「素材」の特徴として「シフォン」が選択される。
【００７８】
そして、ステップＳ２４において、端末装置３は、選択された特徴１〜４をカテゴライズサーバ５に送信する。ここでは、端末装置３は、特徴１〜４をそれぞれ識別する識別番号をカテゴライズサーバ５に送信する。具体的には、端末装置３は、特徴１の「花」に対応する識別番号「１０２」と、特徴２の「ピンク」に対応する識別番号「２１４」と、特徴３の「フリル」に対応する識別番号「３０４」と、特徴４の「シフォン」に対応する識別番号「４０８」とを送信する。
【００７９】
なお、画面ＧＡ６において「戻る」ボタンが押下されると、「素材」の特徴が選択されることなく、図１４の画面ＧＡ５が再度表示される。これにより、ユーザは「パターン」の特徴を改めて選択し直すことが可能である。
【００８０】
続いて、図１６のフローチャートを参照しながら、カテゴライズサーバ５の動作について説明する。以下では、「柄」の特徴（第１特徴）として「花」が選択され、「色」の特徴（第２特徴）として「ピンク」が選択され、「パターン」の特徴（第３特徴）として「フリル」が選択され、「素材」の特徴（第４特徴）として「シフォン」が選択される場合を例示する。なお、かかる組合せを以下では単にパターンＡとも称する。
【００８１】
端末装置３から第１〜第４特徴の各識別番号（第１特徴「１０２」、第２特徴「２１４」、第３特徴「３０４」、第４特徴「４０８」）を受信すると、ステップＳ３１でＹＥＳと判定され、カテゴライズサーバ５は、次述するステップＳ３２以降の処理を実行する。
【００８２】
まず、ステップＳ３２において、カテゴライズサーバ５は、第１特徴の識別番号「１０２」に基づいて、図５に示す評価テーブルＴＢ１の２行目を参照し、「花」のイメージカテゴリ毎の点数（可愛い：４、爽やか：１、きれい：２、ゴージャス：３、クール：０）を抽出し、不図示のテンポラリーテーブル（テンポラリー領域）に一時的に記録する。
【００８３】
次に、ステップＳ３３において、カテゴライズサーバ５は、第２特徴の識別番号「２１４」に基づいて、図６に示す評価テーブルＴＢ２の９行目を参照し、「ピンク」のイメージカテゴリ毎の点数（可愛い：３、爽やか：１、きれい：３、ゴージャス：２、クール：１）を抽出し、上述のテンポラリーテーブルに一時的に記憶する。
【００８４】
また、ステップＳ３４において、カテゴライズサーバ５は、第３特徴の識別番号「３０４」に基づいて、図７に示す評価テーブルＴＢ３の４行目を参照し、「フリル」のイメージカテゴリ毎の点数（可愛い：５、爽やか：１、きれい：３、ゴージャス：１、クール：０）を抽出し、上述のテンポラリーテーブルに一時的に記憶する。
【００８５】
また、ステップＳ３５において、カテゴライズサーバ５は、第４特徴の識別番号「４０８」に基づいて、図８に示す評価テーブルＴＢ４の８行目を参照し、「シフォン」のイメージカテゴリ毎の点数（可愛い：３、爽やか：３、きれい：３、ゴージャス：１、クール：０）を抽出し、上述のテンポラリーテーブルに一時的に記憶する。
【００８６】
そして、ステップＳ３６において、カテゴライズサーバ５は、テンポラリーテーブルに記憶したイメージカテゴリ毎の点数を集計する。その結果、図１７に示すように、「可愛い」が「１５」、「爽やか」が「６」、「きれい」が「１１」、「ゴージャス」が「７」、「クール」が「１」になる。そこで、カテゴライズサーバ５は、最高得点「１５」のイメージカテゴリ「かわいい系」を対象衣類のイメージカテゴリに決定する。
【００８７】
最後に、ステップＳ３７において、決定されたイメージカテゴリ「かわいい系」と共に、各イメージカテゴリの集計点数を端末装置３に送信する。
【００８８】
これに対して、端末装置３は、カテゴライズサーバ５から送信されてくる集計点数に基づいて、合計点数を視覚的に示したグラフ（図１８参照）を生成して操作表示部３６に表示する。
【００８９】
上記実施形態によれば、対象衣類を複数のイメージカテゴリ「かわいい系」、「さわやか系」、「きれい系」、「ゴージャス系」、「クール系」の何れかにカテゴライズすることが可能である。
【００９０】
また、上記実施形態によれば、図１８に示すように、合計点数を視覚的に示したグラフが表示されるので、対象衣類と各イメージカテゴリとの相性を容易に把握することが可能である。
【００９１】
＜２．変形例＞
本発明によるカテゴライズシステムは上述の実施形態に限定されず、特許請求の範囲に記載した範囲で種々の変形や改良が可能である。
【００９２】
上記実施形態では、図１７に示すように、第１〜第４特徴の組合せとしてパターンＡ（柄：花、色：ピンク、パターン：フリル、素材：シフォン）を例示したが、これに限定されず、他の組合せについても対象衣類を特定のイメージカテゴリにカテゴライズすることが可能である。
【００９３】
例えば、図１９に示すように、「柄」の特徴（第１特徴）として「幾何学」が選択され、「色」の特徴（第２特徴）として「青」が選択され、「パターン」の特徴（第３特徴）として「ボウタイ」が選択され、「素材」の特徴（第４特徴）として「シルク」が選択されるようにしてもよい（パターンＢ）。
【００９４】
この場合、図１９に示すように、「可愛い」が「３」、「爽やか」が「８」、「きれい」が「７」、「ゴージャス」が「９」、「クール」が「１３」になる。その結果、最高得点「１３」のイメージカテゴリ「クール系」が対象衣類のイメージカテゴリとして決定される。このとき、端末装置３の操作表示部３６には、図２０に示すグラフが表示される。
【００９５】
また、図２１に示すように、「柄」の特徴（第１特徴）として「アニマル」が選択され、「色」の特徴（第２特徴）として「ゴールド」が選択され、「パターン」の特徴（第３特徴）として「カシュクール」が選択され、「素材」の特徴（第４特徴）として「ポリエステル」が選択されるようにしてもよい（パターンＣ）。
【００９６】
この場合、図１９に示すように、「可愛い」が「９」、「爽やか」が「５」、「きれい」が「６」、「ゴージャス」が「１５」、「クール」が「５」になる。その結果、最高得点「１５」のイメージカテゴリ「ゴージャス系」が対象衣類のイメージカテゴリとして決定される。このとき、端末装置３の操作表示部３６には、図２２に示すグラフが表示される。
【００９７】
また、上記実施形態では、カテゴライズサーバ５が対象衣類のカテゴリを決定する場合を例示したが、これに限定されず、端末装置３が対象衣類のカテゴリを決定するようにしてもよい。この場合、端末装置３の記憶部３５には、上述の評価テーブルＴＢ１〜ＴＢ４（図５〜図８）が記憶されるようにすればよい。そして、端末装置３は、図１６のフローチャートのうちステップＳ３２〜Ｓ３６を実行するようにすればよい。
【００９８】
かかる変形例によれば、対象衣類のカテゴライズ処理が端末装置３のみで実行されるため、ネットワーク２に接続できない環境であってもカテゴライズ処理を実行することが可能である。なお、かかる変形例において、端末装置３は本発明に係るカテゴライズ装置の一例である。
【００９９】
また、上記実施形態では、最高得点のイメージカテゴリが複数存在する場合を想定しないが、かかる場合は以下のように処理すればよい。
【０１００】
具体的には、最高得点のイメージカテゴリが複数存在した場合、カテゴライズサーバ５は、第１〜第４特徴の少なくとも１つを更に入力する入力指示を端末装置３に送信すればよい。例えば、対象衣類が複数の色を有する場合が想定されるため、２番目の色を入力される入力指示を送信すればよい。そして、端末装置３の操作表示部３６は、入力指示に応答して、第１〜第４特徴の少なくとも１つを更に選択するための追加選択画面（不図示）を表示すればよい。そして、端末装置３の通信部３４は、追加選択画面を介して選択された追加特徴をカテゴライズサーバ５に送信すればよい。これに対して、カテゴライズサーバ５は、追加特徴に基づき、複数のイメージカテゴリ毎に第１〜第４特徴の点数を再度集計し、最高得点のイメージカテゴリを対象衣類のイメージカテゴリに決定すればよい。
【０１０１】
かかる変形例によれば、最高得点のイメージカテゴリが複数存在する場合も、対象衣類を１つのイメージカテゴリに決定することが可能になる。
【産業上の利用可能性】
【０１０２】
以上のように本発明にかかるカテゴライズシステムは衣類のカテゴリを特定するのに適している。
【符号の説明】
【０１０３】
１  カテゴライズシステム、２  ネットワーク、３  端末装置、５  カテゴライズサーバ、
３４  通信部、３５  記憶部、３６  操作表示部、３８  バス、
５４  通信部、５５  記憶部、５８  バス、
ＧＡ１〜ＧＡ６  画面、ＴＢ１〜ＴＢ４  評価テーブル
【図１】
0006700059.tif 000002
【図２】
0006700059.tif 000003
【図３】
0006700059.tif 000004
【図４】
0006700059.tif 000005
【図５】
0006700059.tif 000006
【図６】
0006700059.tif 000007
【図７】
0006700059.tif 000008
【図８】
0006700059.tif 000009
【図９】
0006700059.tif 000010
【図１０】
0006700059.tif 000011
【図１１】
0006700059.tif 000012
【図１２】
0006700059.tif 000013
【図１３】
0006700059.tif 000014
【図１４】
0006700059.tif 000015
【図１５】
0006700059.tif 000016
【図１６】
0006700059.tif 000017
【図１７】
0006700059.tif 000018
【図１８】
0006700059.tif 000019
【図１９】
0006700059.tif 000020
【図２０】
0006700059.tif 000021
【図２１】
0006700059.tif 000022
【図２２】
0006700059.tif 000023